(57)【特許請求の範囲】
【請求項１】
撮影レンズにより結像される画像を記録する電子画像撮影装置において、
前記撮影レンズによって結像される結像面と、
前記撮影レンズから前記結像面に至る光束の一部を前記結像面とほぼ平行な方向に反射させるために前記結像面の前面に前記結像面とその長手方向がほぼ平行に配置されたライン状反射手段と、
前記ライン状反射手段により反射された光束から電子画像を形成するために前記ライン状反射手段とその長手方向がほぼ平行に配置されたライン状光電変換素子と、
前記ライン状反射手段と前記ライン状光電変換素子とを前記結像面とほぼ平行に移動させる移動手段とを有し、
前記移動手段の移動によって，前記撮影レンズから前記ライン状反射手段を経て前記ライン状光電変換素子に至る光学的距離を前記撮影レンズから前記結像面に至る光学的距離と等しくすることによって、前記ライン状光電変換素子により得られる撮像エリアと前記結像面における撮像エリアとにおいて同じ大きさの被写体画像が同じ合焦状態で得られるように構成したことを特徴とする電子画像撮影装置。
【請求項２】
前記結像面に銀塩フイルムを配置すると共に，前記銀塩フイルムと，前記ライン状反射手段及び前記ライン状光電変換素子との間に前記銀塩フイルムを露光するためのシャッターを配置したことを特徴とする請求項１に記載の電子画像撮影装置。
【請求項３】
前記シャッターを前記結像面とほぼ平行に移動するフォーカルプレインシャッターとし、前記ライン状反射手段と前記ライン状光電変換素子とを前記フォーカルプレインシャッターに取り付けたことを特徴とする請求項２に記載の電子画像撮影装置。
【請求項４】
前記結像面に電子画像を形成するための平面状の光電変換素子を配置したことを特徴とする請求項１に記載の電子画像撮影装置。
【発明の詳細な説明】
【０００１】
【発明の属する技術分野】
本発明は、撮影レンズにより結像される画像を２つの撮影手段によって記録する電子画像撮影装置に関するものである。
【０００２】
【従来の技術】
従来、２つの撮影手段を１つのカメラ本体に内蔵するものとして、例えば特開平１−１２６６３５号公報に示されるものがあった。これは、撮影レンズを通った被写体の光束をビームスプリッタで分割し、分割された一方の光束を第一の結像レンズでＣＣＤ素子上に結像させて録画機構部で被写体の動画像を電子的に記録すると共に、分割された他方の光束を第二の結像レンズで銀塩フイルム上に結像させて、被写体の静止画像を記録するものである。また、共通の撮影レンズ及び結像レンズを使用して２つの撮影手段で記録するものとして、特開平７−１８４１００号公報に示されるものがあった。これは、撮影レンズ及び結像レンズ等を内蔵したカメラ本体に、銀塩フイルムパックと撮像素子で電子画像を記録するスチルビデオパックとを交換可能に取り付けたものである。
【０００３】
【発明が解決しようとする課題】
しかしながら、例えば特開平１−１２６６３５号公報に示されるＣＣＤ素子と銀塩フイルムを１つのカメラ本体に内蔵したものは、  ＣＣＤ素子の撮像エリアが例えば１インチのＣＣＤ素子でも１５ｍｍ×２０ｍｍと小さいものに対し、銀塩フイルムの撮像エリアが２４ｍｍ×３６ｍｍとかなり大きいものなので、それぞれの結像レンズが必要となり、光学系が複雑で、カメラ本体が大型のものとなっていた。また、特開平７−１８４１００号公報に示される共通の撮影レンズ及び結像レンズを使用するものは、動いている被写体を銀塩フイルムと電子画像とで記録したい場合、銀塩フイルムパックとスチルビデオパックとを交換しなければならないので、使い勝手が悪く、折角のシャッターチャンスを逃がしてしまうことがあった。
【０００４】
本発明は、２つの撮影手段を１つのカメラ本体に内蔵すると共に、それぞれの撮影手段の光学系を共通にし、カメラ本体を小型化することを目的とする。
【０００５】
【課題を解決するための手段】
上記目的を達成するため、請求項１の発明は、撮影レンズにより結像される画像を記録する電子画像撮影装置において、前記撮影レンズによって結像される結像面と、前記撮影レンズから前記結像面に至る光束の一部を前記結像面とほぼ平行な方向に反射させるために前記結像面の前面に前記結像面とその長手方向がほぼ平行に配置されたライン状反射手段と、前記ライン状反射手段により反射された光束から電子画像を形成するために前記ライン状反射手段とその長手方向がほぼ平行に配置されたライン状光電変換素子と、前記ライン状反射手段と前記ライン状光電変換素子とを前記結像面とほぼ平行に移動させる移動手段とを有し、前記移動手段の移動によって，前記撮影レンズから前記ライン状反射手段を経て前記ライン状光電変換素子に至る光学的距離を前記撮影レンズから前記結像面に至る光学的距離と等しくすることによって、前記ライン状光電変換素子により得られる撮像エリアと前記結像面における撮像エリアとにおいて同じ大きさの被写体画像が同じ合焦状態で得られるように構成したことを特徴とする。
【０００６】
請求項２の発明は、請求項１に記載の電子画像撮影装置において、前記結像面に銀塩フイルムを配置すると共に前記銀塩フイルムと前記ライン状反射手段及び前記ライン状光電変換素子との間に前記銀塩フイルムを露光するためのシャッターを配置したことを特徴とする。
【０００７】
請求項３の発明は、請求項２に記載の電子画像撮影装置において、前記シャッターを前記結像面とほぼ平行に移動するフォーカルプレインシャッターとし、前記ライン状反射手段と前記ライン状光電変換素子とを前記フォーカルプレインシャッターに取り付けたことを特徴とする。
【０００８】
請求項４の発明は、請求項１に記載の電子画像撮影装置において、前記結像面に電子画像を形成する平面状の光電変換素子を配置したことを特徴とする。
【０００９】
【発明の実施の形態】
以下、本発明の実施の形態を図面を参照して説明する。
図１は本発明の一実施形態の電子画像撮影装置の要部の構成を示す図で、図２は図１の要部を正面から見た図である。被写体（図示せず）を撮影するための撮影レンズ１を通過した光束２は結像面３に結像する。この結像面３は通常光軸Ｏに対し垂直となっており、通常、この結像面３上の四角形の撮影エリア３ａが被写体の撮影に利用される。
【００１０】
ライン状のプリズム４は、結像面３の前面である撮影レンズ１側に、その長手方向が結像面３と平行で、かつ、四角形上の撮影エリア３ａの一辺と平行に配置されている。また、ライン状のＣＣＤ素子５は、例えばカラー画像を撮影するためのＲ、Ｇ、Ｂの３本のライン状のＣＣＤからなり、その長手方向がライン状のプリズム４の長手方向と平行で、かつ、ライン状のプリズム４と所定の間隔を離間して配置されている。そして、ライン状のプリズム４とライン状のＣＣＤ素子５は、移動部材６上に互いに平行に固定されている。この移動部材６は、結像面３に対し平行に設置されたガイド７，７上を、駆動装置（図示せず）により高速に移動可能に取り付けられている。なお、ガイド７，７の間隔は図２に示すように撮影エリア３ａよりやや広く開けてある。
【００１１】
ライン状のプリズム４とライン状のＣＣＤ素子５とによって被写体の静止画像を電子的に記録する場合について説明する。図１中のａは、四角形上の撮影エリア３ａの一辺の影像を電子的に記録する時のライン状のプリズム４の位置を示し、図１中のｂは四角形上の撮影エリア３ａの他方の一辺の影像を電子的に記録する時のライン状のプリズム４の位置を示す。このような構成とすることにより、撮影レンズ１を通った被写体の光束２の一部が、ライン状のプリズム４で反射されてライン状のＣＣＤ素子５に結像され、ライン状のプリズム４及びライン状のＣＣＤ素子５がａの位置からｂの位置に移動することで被写体の全体の静止画が撮影できる。そして、撮影レンズ１からライン状のプリズム４を経てライン状のＣＣＤ素子５に至る光学的距離は、ライン状のプリズム４が図１中のａの位置、ａの位置からｂの位置への移動中、及びｂの位置のいずれでも撮影レンズ１から結像面３に至る光学的距離と等しくなるように、ライン状のプリズム４とライン状のＣＣＤ素子５との間隔は設定されている。
【００１２】
このように、図１中のａの位置からｂの位置へ移動部材６をガイド７，７に沿って移動させることにより、ライン状のＣＣＤ素子５は結像面３上の撮影エリア３ａと同じ被写体を撮影することができる。なお、ライン状のＣＣＤ素子５からの画像信号は、フレキシブルワイヤー（図１では図示せず）を通じて、またはガイド７、７と電気的に接続された移動部材６のブラシ（図示せず）等を通じて、フレームメモリー等へ蓄積される。
【００１３】
なお、ライン状のプリズム４を、図１中のａの位置からｂの位置へ移動させて被写体の静止画像を電子的に記録することについて説明したが、ライン状のプリズム４とライン状のＣＣＤ素子５とが、少なくともａの位置からｂの位置までの間、等速度で高速に移動するためには、それらの高速度までの速度の立ち上がりやバックラッシュ等を考慮し、図１中ａの位置の更に下からｂの位置の更に上まで移動範囲を広げた方が良い。
【００１４】
また、結像面３に設けられた別の撮影手段で撮影する場合は、移動部材６を図１中ｂの位置より上方に退避させておけば、結像面３の前面に配置されたライン状のプリズム４、ライン状のＣＣＤ素子５及び移動部材６等が、撮影エリア３ａを遮ることはない。
【００１５】
また、本実施形態では、撮影レンズ１から結像面３に至る光束の一部を結像面３と平行な方向に反射させるためのライン状の反射手段として、ライン状のプリズム４としたが、ライン状の鏡のような反射板でもよい。更に、本実施形態では、電子画像を形成するためのライン状の光電変換素子として、ライン状のＣＣＤ素子５としたが、ＭＯＳ型撮像素子等でもよい。
【００１６】
次に、結像面３を銀塩フイルムとした請求項２に記載の発明の実施形態を図３を参照して説明する。この実施形態の電子画像撮影装置では、結像面３に相当する位置に銀塩フイルム１０を配置する。そして、この銀塩フイルム１０とライン状のプリズム４及びライン状のＣＣＤ素子５との間に、この銀塩フイルム１０の撮影エリアを決定する枠体１１と、この銀塩フイルム１０を露光するためのフオーカルプレインシヤッター１２とを配置する。
【００１７】
この実施形態の電子画像撮影装置では、被写体のモニターは光学的ファインダー（図示せず）を使用し、銀塩フイルム１０に撮影する場合は、ライン状のプリズム４及びライン状のＣＣＤ素子５を撮影エリアの外側に退避しておくことにより、通常の銀塩フイルムカメラと同様にフオーカルプレインシヤッター１２を動作させて被写体を撮影することができる。
【００１８】
また、ライン状のプリズム４とライン状のＣＣＤ素子５とによって被写体の静止画像を電子的に記録する場合は、光学的ファインダーで被写体をモニターしながら、シャッターを押すと、図１及び図２で説明したようにライン状のＣＣＤ素子５からの画像信号は、フレキシブルワイヤー１３を通じてフレームメモリーへ蓄積される。
【００１９】
さらに、フオーカルプレインシヤッター１２の一端１２ａにライン状のプリズム４とライン状のＣＣＤ素子５とを固定することにより、図１の移動部材６を省略することができる。この場合は、ライン状のプリズム４及びライン状のＣＣＤ素子５がフオーカルプレインシヤッター１２と一体に移動するので、被写体の静止画像を電子的に記録すると同時に銀塩フイルムにも記録することができる。
【００２０】
次に、結像面３を電子画像を形成する平面状の光電変換素子とした請求項４に記載の発明の実施形態を説明する。図１及び図２で説明した本発明の実施形態では、図１及び図２で、結像面３の前面の移動部材６状にライン状のプリズム４及びライン状のＣＣＤ素子５を配置し、静止画を撮影するようにしたが、本発明の実施形態は、その結像面３に例えば平面状のＣＣＤ素子を配置したものである。この場合、仮にライン状のＣＣＤ素子５を使用して電子ファインダーに被写体の動画像を映し出そうとすると、移動部材６を高速に往復移動しなければならないので、それの耐久性上好ましくない。従って、通常はポイットミラーやクイックリターンミラー等で構成された光学式ファインダーとなるが、結像面３に平面状のＣＣＤ素子を配置してあるので、ライン状のＣＣＤ素子５により静止画像を電子的に記録する際、平面状のＣＣＤ素子より被写体の動画像の映像信号を得ることができ、従って、電子ファインダーにより被写体を見ることができる。このようにすることによって、光学式ファインダーの光学系が不要となり、カメラ本体が小型化される。
【００２１】
なお、平面状のＣＣＤ素子は電子ファインダーに使用するだけでなく、静止画像を撮影するために使用することも可能である。このような場合は、ライン状のＣＣＤ素子を高解像度のものとし、平面状のＣＣＤ素子を低解像度のものとすれば、１台で大きなメモリー容量が必要な高解像の静止画像と小容量で軽快な低解像度の静止画とを撮影することができる。。
【００２２】
また、平面状のＣＣＤ素子より動画像の映像信号を得ることができるので、そのまま磁気テープ等の動画像記録媒体に記録することもできる。従来のデジタルＶＴＲでも静止画モードがあったが、この静止画の画質は、平面状のＣＣＤ素子や磁気テープの記録密度の関係上、高解像度のものを得ることはできなかった。しかしながら、本発明の実施形態によれば高解像度の電子的静止画像と通常の画質の動画像とを記録することができる。
【００２３】
【発明の効果】
以上詳述したように、請求項１に記載の電子画像撮影装置によれば、撮影レンズから結像面に至る光束の一部をライン状の反射手段で結像面とほぼ平行な方向に反射させ、反射された光束からライン状の光電変換素子で電子画像を形成すると共に、ライン状反射手段とライン状光電変換素子とを結像面とほぼ平行に移動させる間，撮影レンズからライン状反射手段を経てライン状光電変換素子に至る光学的距離を撮影レンズから結像面に至る光学的距離と等しくしたので、電子的静止画像と他の撮影手段とを１つのカメラ本体に内蔵することができると共に、撮影レンズ等の光学系も共通にすることができ、カメラ本体を小型化することができる。更に、撮影エリア及び合焦状態が同じ画像を２つの撮影手段で、それぞれもしくは同時に、記録することもできる。
【００２４】
請求項２に記載の電子画像撮影装置によれば、結像面に銀塩フイルムを配置すると共に銀塩フイルムとライン状反射手段及びライン状光電変換素子との間に銀塩フイルムのためのシャッターを配置したので、電子的静止画像と銀塩フイルムの記録とを１つのカメラ本体に内蔵することができる。
【００２５】
請求項３に記載の電子画像撮影装置によれば、銀塩フイルムを撮影するためのシャッターを、結像面とほぼ平行に移動するフォーカルプレインシャッターとし、ライン状反射手段とライン状光電変換素子とをこのフォーカルプレインシャッターに取り付けたので、同じ被写体を電子的静止画像と銀塩フイルムとで同時に記録することができ、例えば遠隔地に画像を送りそこで印刷する場合、とりあえず電子的静止画像をインターネットで送り、画像を確認した後に高解像度の銀塩フイルムより得た版下を別便で送る等、利用価値は多大である。
【００２６】
請求項４に記載の電子画像撮影装置によれば、結像面に電子画像を形成する平面状の光電変換素子を配置したので、電子的静止画像を撮影する際の電子ファインダーの映像信号を平面状の光電変換素子で簡単に得ることができる。また、高解像度の電子的静止画像と通常の電子的動画像の記録とを廉価で小型に作ることができる。
【図面の簡単な説明】
【図１】本発明の一実施形態にかかる電子画像撮影装置の要部を示す図である。
【図２】本発明の一実施形態を示す図１の要部を正面から見た図である。
【図３】本発明の一実施形態にかかる電子画像撮影装置の要部を示す図である。
【符号の説明】
１  撮影レンズ
２  光束
３  結像面
４  ライン状のプリズム
５  ライン状のＣＣＤ素子
６  移動部材
７  ガイド
１０  銀塩フイルム
１２  フォーカルプレーンシャッター
【図１】
0003899657.tif 000002
【図２】
0003899657.tif 000003
【図３】
0003899657.tif 000004